【手続補正書】
【提出日】平成18年4月26日(2006.4.26)
【手続補正１】
【補正対象書類名】特許請求の範囲
【補正対象項目名】全文
【補正方法】変更
【補正の内容】
【特許請求の範囲】
【請求項１】
筐体の正面に形成されて当該正面の主要部を占める表示画面と、
読み出した画像信号に基づいて、前記表示画面上に前記画像信号に対応する画像を形成する画像形成装置と、
前記筐体に形成された凹部に着脱可能に収納されるプリンタユニットと
を備える画像表示装置。
【請求項２】
前記プリンタユニットの着脱時における前記凹部内での移動を案内するガイド手段と、前記画像形成装置及び前記プリンタユニットの間で信号の授受を可能にするとともに分離及び接続自在なコネクタ手段とをさらに備える請求項１記載の画像表示装置。
【請求項３】
前記プリンタユニットが前記凹部に収納されて前記コネクタ手段によって前記画像形成装置及び前記プリンタユニット間の電気的接続が達成された状態で、前記プリンタユニットを前記凹部に対して固定した係止状態とする係止手段をさらに備える請求項２記載の画像表示装置。
【請求項４】
前記係止手段による前記プリンタユニットの前記係止状態が解除されることを防止するロック部材をさらに備える請求項３記載の画像表示装置。
【請求項５】
前記係止手段による前記プリンタユニットの前記係止状態の解除操作を検知する解除センサをさらに備える請求項３及び請求項４のいずれか一項記載の画像表示装置。
【請求項６】
筐体の正面に形成されて当該正面の主要部を占める表示画面と、
読み出した画像信号に基づいて、前記表示画面上に前記画像信号に対応する画像を形成する画像形成装置と、
前記筐体に形成された凹部に着脱可能に収納されるプリンタユニットと、
前記画像形成装置及び前記プリンタユニットの間で信号の授受を可能にするとともに分離及び接続自在なコネクタ手段と、
前記プリンタユニットが前記凹部に収納されて前記コネクタ手段によって前記画像形成装置及び前記プリンタユニット間の電気的接続が達成された状態で、前記プリンタユニットを前記凹部に対して固定した係止状態とする係止手段と、
前記係止手段による前記プリンタユニットの前記係止状態の解除操作を検知する解除センサと、
前記解除センサによって前記係止状態が解除されたことが検出されたときにおいて、前記プリンタユニットが印刷処理を実行中又は印刷処理の準備中である場合、当該プリンタユニットにおいて印刷の強制的な中断処理を行わせる制御装置と
を備えることを特徴とする画像表示装置。
【請求項７】
前記制御装置は、前記解除センサによって前記係止状態が解除されたことが検出されたときにおいて、前記プリンタユニットにおいて実行中又は準備中の印刷処理が存在する場合は、当該印刷の中断処理後に、前記プリンタユニットへの電源供給を遮断することを特徴とする請求項６記載の画像表示装置。
【請求項８】
前記制御装置は、前記解除センサによって前記係止状態が解除されたことが検出されたときに、前記画像形成装置と前記プリンタユニットとの間の信号授受を終了させることを特徴とする請求項６及び請求項７のいずれか一項記載の画像表示装置。
【請求項９】
前記制御装置は、前記画像形成装置に設けられる第１ＣＰＵと、前記プリンタユニットに設けられる第２ＣＰＵとを有し、当該第１及び第２ＣＰＵ間で所定の接続プロトコルに基づく通信でデータ信号を受け渡すことによって前記プリンタユニットに印刷処理を実行させるとともに、前記プリンタユニットへの電源供給を遮断する前に、当該第１及び第２ＣＰＵ間の前記所定の接続プロトコルに基づく通信を予め終了させることを特徴とする請求項８記載の画像表示装置。
【請求項１０】
前記係止手段によって前記プリンタユニットが前記係止状態に保持されていることを検知する係止センサをさらに備える請求項６記載の画像表示装置。
【請求項１１】
前記係止センサと前記解除センサとは、前記係止手段に設けた可動部材の変位を検出する共通の着脱スイッチであり、当該着脱スイッチの状態に基づいて前記係止状態と当該係止状態の解除とを検出することを特徴とする請求項１０記載の画像表示装置。
【請求項１２】
前記制御装置は、前記係止センサによって前記係止状態への復帰が検出されたときにおいて、前記プリンタユニットの前回の取り外しによって印刷が強制的に中断している場合には、当該中断していた印刷を前記プリンタユニットに再開させることを特徴とする請求項１０及び請求項１１のいずれか一項記載の画像表示装置。
【手続補正２】
【補正対象書類名】明細書
【補正対象項目名】００１４
【補正方法】変更
【補正の内容】
【００１４】
また、上記画像表示装置の別の具体的態様では、筐体の正面に形成されて当該正面の主要部を占める表示画面と、読み出した画像信号に基づいて、表示画面上に画像信号に対応する画像を形成する画像形成装置と、筐体に形成された凹部に着脱可能に収納されるプリンタユニットと、画像形成装置及びプリンタユニットの間で信号の授受を可能にするとともに分離及び接続自在なコネクタ手段と、プリンタユニットが凹部に収納されてコネクタ手段によって画像形成装置及びプリンタユニット間の電気的接続が達成された状態で、プリンタユニットを凹部に対して固定した係止状態とする係止手段と、係止手段によるプリンタユニットの係止状態の解除操作を検知する解除センサと、解除センサによって係止状態が解除されたことが検出されたときにおいて、プリンタユニットが印刷処理を実行中又は印刷処理の準備中である場合、当該プリンタユニットにおいて印刷の強制的な中断処理を行わせる制御手段とを備える。
【手続補正３】
【補正対象書類名】明細書
【補正対象項目名】００１８
【補正方法】変更
【補正の内容】
【００１８】
また、上記画像表示装置の別の具体的態様では、制御装置が、画像形成装置に設けられる第１ＣＰＵと、プリンタユニットに設けられる第２ＣＰＵとを有し、当該第１及び第２ＣＰＵ間で所定の接続プロトコルに基づく通信でデータ信号を受け渡すことによってプリンタユニットに印刷処理を実行させるとともに、プリンタユニットへの電源供給を遮断する前に、第１及び第２ＣＰＵ間の所定の接続プロトコルに基づく通信を予め終了させる。この場合、制御装置を構成する画像形成装置側の第１ＣＰＵと、プリンタユニット側の第２ＣＰＵとの間で円滑な通信を確保しつつ、プリンタユニットの分離に際しては、両ＣＰＵ間の通信をトラブルなく円滑に遮断することができる。
【手続補正４】
【補正対象書類名】明細書
【補正対象項目名】００２０
【補正方法】変更
【補正の内容】
【００２０】
また、上記画像表示装置の別の具体的態様では、係止センサと解除センサとが、係止手段に設けた可動部材の変位を検出する共通の着脱スイッチであり、当該着脱スイッチの状態に基づいて係止状態と当該係止状態の解除とを検出する。この場合、部品の共有化によって無駄のない構成とすることができ、係止センサと解除センサとが別である場合に生じ得る動作の矛盾を防止できる。
【手続補正５】
【補正対象書類名】明細書
【補正対象項目名】００４９
【補正方法】変更
【補正の内容】
【００４９】
以上のような操作レバー４１の操作により、係止センサであるＳＷ検出部８２が、同様に係止センサを構成する脱着スイッチ６５の状態変化をプリンタ取り付け信号として検出しＣＰＵ８４に出力する。これに応じて、ＣＰＵ８４は、以下に説明する取り付け処理を開始すべく割り込み処理を進行させる（ステップＳ１２）。
【手続補正６】
【補正対象書類名】明細書
【補正対象項目名】００５２
【補正方法】変更
【補正の内容】
【００５２】
次に、ＣＰＵ８４は、前回のプリンタユニット２３の取り付けが印刷中の強制的な中断を伴ったか否かを判断する（ステップＳ１５）。つまり、図９のフローチャートのステップＳ２で印刷中と判断されて印刷中断処理（ステップＳ３）が実行されたか否かが判断される。印刷スプール情報の送出中の中断処理、紙詰まり等を含む修理やメンテナンス目的の中断処理は、印刷の強制終了と判断される。
【手続補正７】
【補正対象書類名】明細書
【補正対象項目名】００５３
【補正方法】変更
【補正の内容】
【００５３】
プリンタユニット２３の取り付けに際して印刷の強制終了を伴った場合、ＣＰＵ８４は、中断によって印刷を完了していない印刷スプール情報を再度読み出して印刷を再開する（ステップＳ１６）。つまり、ＣＰＵ８４は、記憶装置８７内の印刷再開用データ領域に保存されている印刷スプール情報を読み出して、印刷コマンドとともにプリンタユニット２３の制御部９０に転送する。これにより、プリンタユニット２３による取り付け直前の印刷が再開される。なお、印刷の強制終了を伴っていない場合、以上のような印刷の再開は行われない。
【手続補正８】
【補正対象書類名】図面
【補正対象項目名】図１０
【補正方法】変更
【補正の内容】
【図１０】
2004312706.tif 000001